(57)【要約】【課題】  老人、婦人、小児でも容易に乗降でき、小車輪径の自転車でも円滑に走行練習ができ、安全、安価、小型に製作でき、使用及び格納に便利な自転車走行練習器を提供する。【解決手段】  フレーム１０、１０に平行に配置した少なくとも４個の小径の遊転ローラー２０のうち、前端ローラーと後端ローラーを、他のローラーより高く配置すると共に、他のローラー間を、小径のため、自転車の車輪のタイヤに喰い込まない間隔に形成した２台のローラー台１、２のうち、ローラー台１に、前輪３１を電動機３１１により駆動回転できるようにした自転車３０の前輪３１をのせ、別のローラー台２に、自転車３０の後輪３２をのせ、ペダル３３を回動することにより、後輪３２を自力で回転すると共に、前輪３１を電動機により駆動回転して、自立走行練習ができるようにしたもの。【選択図】    図５
2007301268.tif 000002
【特許請求の範囲】
【請求項１】
フレームに平行に配置した少なくとも４個の遊転ローラーのうち、前端のローラーの頂面と後端のローラーの頂面とを、他のローラーの頂面より高く配置して、ローラーにのせられた自転車の車輪の回転に伴って、車輪が前端のローラー又は後端のローラーを乗りこえてはみ出ないようにすると共に、前端ローラーと後端ローラーとを除く他の複数のローラーを乗者が乗ったときの車輪タイヤがローラーに喰い込まない間隔に形成した２台のローラー台を設けて、１台のローラー台に、前輪を電動機により駆動回転できるようにした自転車の前輪をのせ、別の１台のローラー台に、自転車の後輪をのせられるように、設置できるようにすると共に、乗者が地面（床面）に両足が着く範囲内になるように、前輪をのせたローラー径と、後輪をのせたローラー径とを小径に形成して、ペダルを回動することにより、後輪を自力で回転すると共に、前輪を電動機により駆動回転して、自立走行練習ができるようにしたことを特徴とする自転車走行練習器。
【発明の詳細な説明】
【技術分野】
【０００１】
本発明は、自転車の前輪と後輪とを、それぞれローラーの上にのせて、ペダルを回動することにより、前記ローラーを回転させて、自転車をローラー上に、自力で自立走行させる練習ができるようにした自転車走行練習器に関する。
【背景技術】
【０００２】
従来の自転車走行練習器は、実公開平２−７７０６０号公報の図１及び図３に示すように、１個の前輪のせロール２上に自転車の前輪をのせ、１対の後輪のせロール３、３に後輪を狭着するようにのせて、ペダルを回動することにより、後輪のせロール３、３を回転させると共に、ベルト１０の伝動により前輪のせロール２を従動させて、自力による自転車の自立走行練習ができるように装置されていた。
しかしながら、従来の自転車走行練習器は、前輪を１個のローラー上にのせ、後輪を２個のローラーの間に狭着するようにのせるため、ローラー径を約１００ミリメートル以上の大径にする必要があり、そのため自転車をのせた場合、乗降が困難になる欠点があった。また、従来の自転車走行練習器は、主として、２６インチ、２７インチの車輪径の自転車に使用されていたため、車輪径が２４インチ、２０インチ又は１６インチ等の小径の車輪径の自転車をのせるためには、前輪のせロールの位置、１対の後輪間の間隔、ベルト長さ等をその都度変更しなければ使用できない欠点があった。
そこで、本発明者は、前輪のせローラー径、後輪のせローラー径を小さく形成して前記欠点に対応することを検討したが、ローラー径を乗降容易な約４０ミリメートル以下に形成すると、前輪のせローラー、後輪のせローラーは、いずれも、自転車に乗車した場合、車輪タイヤの喰い込みが大きく走行困難になることが判明した。
【特許文献１】実公開平２−７７０６０号公報
【特許文献１】特公昭５０−７１４２５号公報
【発明の開示】
【発明が解決しようとする課題】
【０００３】
本発明は、前輪のせローラー径、後輪のせローラー径が小さく、老人、婦人、小児でも容易に乗降して、使用できるようにした自転車走行練習器を提供するものである。
また、本発明は、小車輪径の自転車でも容易に走行練習ができるようにした自転車走行練習器を提供するものである。
さらに、本発明は、安全で、安価、小型に製作でき、使用及び格納に便利な自転車走行練習器を提供するものである。
【課題を解決するための手段】
【０００４】
本発明自転車走行練習器は、上記課題を達成するため、図示するように、フレーム１０、１０に平行に配置した少なくとも４個の遊転ローラー２０のうち、前端のローラー２０（１）の頂面と後端のローラー２０（２）の頂面とを、他のローラー２０（３）、２０（４）、２０（５）の頂面より高く配置して、ローラー２０にのせられた自転車３０の車輪３１又は３２の回転に伴って、車輪３１又は３２が前端のローラー２０（１）又は後端のローラー２０（２）を乗りこえてはみ出ないようにすると共に、前端のローラー２０（１）と後端のローラー２０（２）とを除く他の複数のローラー２０（３）、２０（４）、２０（５）を乗者が乗ったときの車輪３１又は３２のタイヤがローラー２０（３）、２０（４）、２０（５）に喰い込まない間隔に形成した２台のローラー台１、２を設けて、１台のローラー台１に、前輪３１を電動機３１１により駆動回転できるようにした自転車３０の前輪３１をのせ、別の１台のローラー台２に、自転車３０の後輪３２をのせられるように、設置できるようにすると共に、乗者が地面（床面）に両足が着く範囲内になるように、前輪３１をのせたローラー径と、後輪３２をのせたローラー径とを小径に形成して、ペダル３３を回動することにより、後輪３２を自力で回転すると共に、前輪３１を電動機により駆動回転して、自立走行練習ができるようにしたものである。
本発明において、遊転ローラーのうち、前端ローラーと後端ローラーとは、自転車の車輪が乗りこえないものであれば、ローラー径の大小は関係ないが、ローラー径は小径であることが好ましい。遊転ローラーのうち、前端ローラーと後端ローラーとを除く他のローラー（以下、中間ローラーという。）は、自転車の車輪をのって乗者が乗降できるようにするため、ローラー径は小径にすることが必要で、ローラー径は外径４０ミリメートル以下から選ばれることが好ましい。
また、中間ローラーの相互の間隔は、乗者が乗ったとき、車輪タイヤがローラーに喰い込まない間隔にする必要があり、乗者の体重や車輪径やタイヤ構造により間隔距離は変化するが、通常、約３０ミリメートル以下が望ましい。
前輪を電動機により駆動回転できるようにした自転車は、ペダルを回動してペダルの負荷により電動機を起動するいわゆる電動自転車のほか、ペダルの回動と無関係に前輪駆動の電動機が起動できるようにした自転車も含まれる。
上記自転車は、前輪は電動機により駆動回転して前輪のせローラー台を遊転させるが、後輪は自力によるペダル回動により後輪のせローラー台を遊転させて自立走行練習ができることになる。
【発明の効果】
【０００５】
本発明自転車走行練習器は、少なくとも４個の遊転ローラーを配置したローラー台２台にそれぞれ自転車の前輪と後輪とをのせ、後輪を乗者が自力でペダル回動すると同時に、前輪を電動機により駆動回転すれば、自転車は自立走行の練習ができ、また、ペダル回動は乗者が自力のみで自立走行できるので、全身運動と共に、平衡感覚を訓練できるという他の健康機器にない利点を有する。
また、本発明自転車走行練習器は、地面（床面）に近い複数の小径の中間ローラー上に自転車の車輪がのるので段差が小さく、老人、婦人、小児でも気軽に使用でき、また、２台のローラー台の配置により自転車の前輪と後輪の間隔が自由に変更できるので、小径車輪の自転車でも走行練習や健康機器として容易に使用できる利点がある。
さらに、本発明自転車走行練習器は、格納や運搬移動が便利で、また、構造簡単で量産可能なため安価に製作できる利点がある。
【発明を実施するための最良の形態】
【０００６】
本発明自転車走行練習器は、同一構造の２台のローラー台を備えている。各ローラー台は、１対のフレームと５組の同一構造の軸棒付き遊転ローラー（軸受、カラー、座金及びナットを含む）を備えている。
【実施例１】
【０００７】
本発明自転車走行練習器が図１乃至図５に示されている。本発明実施例１の自転車走行練習器は、同一構造の２台のローラー台１、２を備え、各ローラー台１又は２は、１対のフレーム１０と５組の同一構造の遊転ローラー２０からなる。
各フレーム１０は、各遊転ローラー２０の軸棒２１を貫通する貫通孔１１が穿設されている。
遊転ローラー２０は、１組の前端遊転ローラー２０（１）と１組の後端遊転ローラー２０（２）と３組の中間遊転ローラー２０（３）、２０（４）、２０（５）からなる。
遊転ローラー２０（１）及び２０（２）の各頂面は、中間遊転ローラー２０（３）、２０（４）及び２０（５）の各頂面より高い位置に設けられるように、図２に示すように、各フレーム１０の貫通孔１１（１）、１１（２）、１１（３）、１１（４）、１１（５）が穿設され、自転車の車輪径２６インチ〜１６インチが乗りこえられないようにしている。
また、中間遊転ローラー２０（３）と２０（４）との間隔、２０（４）と２０（５）との間隔は、自転車の車輪タイヤが喰い込まない間隔になるように、貫通孔１１（３）、１１（４）、１１（５）が穿設されている。
各遊転ローラー２０は、図３及び図４に示すように、軸受２２の外輪が嵌着できる鉄製パイプ２３と、軸受２２の内輪に嵌入する軸棒２１と、軸受２２の内輪とフレーム１０との間に嵌入するカラー２４とフレーム１０とナット２５の間に嵌入する座金２５１と、軸棒２１の両端の螺刻面に螺着するナット２５とを備えている。
本発明の構成は上述のとおりであるので、図５に示すように、２台のローラー台１、２のうち、１台のローラー台１に自転車３０の前輪３１をのせ、自転車３０の後輪３２を別の１台のローラー台２にのせて、各中間遊転ローラー２０（３）〜２０（５）に前輪３１及び後輪３２のタイヤ踏面がくるようにすれば、ペタル３３の回動による後輪３２の自力回転と共に、前輪３１の電動機３１１の起動により前輪３１も回転するので、自転車３０は自立走行練習ができることになる。
【産業上の利用可能性】
【０００８】
本発明自転車走行練習器は、構造簡単、小型軽量、安価に製作できる。
【図面の簡単な説明】
【０００９】
【図１】本発明実施例の平面図である。
【図２】図１のＡ−Ａ線断面図である。
【図３】図１のＢ−Ｂ線断面図である。
【図４】図１のＣ−Ｃ線端面図である。
【図５】本発明実施例の使用状態説明図である。
【符号の説明】
【００１０】
１、２            ローラー台
１０              フレーム
２０              遊転ローラー
２０（１）        前端遊転ローラー
２０（２）        後端遊転ローラー
２０（３）        他の遊転ローラー（中間ローラー）
２０（４）        他の遊転ローラー（中間ローラー）
２０（５）        他の遊転ローラー（中間ローラー）
３０              自転車
３１              車輪（前輪）
３１１            前輪駆動電動機
３２              車輪（後輪）
３３              ペタル
【図１】
2007301268.tif 000003
【図２】
2007301268.tif 000004
【図３】
2007301268.tif 000005
【図４】
2007301268.tif 000006
【図５】
2007301268.tif 000007